【手続補正書】
【提出日】平成27年12月24日(2015.12.24)
【手続補正１】
【補正対象書類名】特許請求の範囲
【補正対象項目名】全文
【補正方法】変更
【補正の内容】
【特許請求の範囲】
【請求項１】
ウォーターディスペンサー装置であって、
ウォーターディスペンサー装置のユーザに分配される水を収容するための給水ユニットと、
前記給水ユニットから水を受けるための冷水タンクと、
前記給水ユニットから水を受けるための温水タンクと、
前記冷水タンク及び前記温水タンクに向かって前記給水ユニットから水を揚送するための吸引ユニットと、
前記温水タンクに、及び前記冷水タンクに接続され、ウォーターディスペンサー装置から水を分配するための水出口と、
前記吸引ユニットがそこから吸引を行う命令を受信する制御ユニットと、
前記吸引ユニットから前記冷水タンクへの水の流れを制御するための前記制御ユニットに接続された冷水ユニット弁と、
前記吸引ユニットから前記温水タンクへの水の流れを制御するための前記制御ユニットに接続された温水ユニット弁と、
前記給水ユニットから前記水出口に向かって水の流れを制御するための前記給水ユニットに接続された供給弁と、
前記冷水タンク、吸引弁、及び、前記吸引ユニットに接続された第１の冷水吸引管と、前記冷水ユニット弁、及び、前記冷水タンクに接続された第２の冷水吸引管とを具備し、
前記吸引ユニットは、前記第１及び第２の冷水吸引管から水を吸引するように構成され、
前記吸引ユニットによって前記第１及び第２の冷水吸引管から吸引された水は、ウォーターディスペンサー装置の管及びタンクをクリーニングするために使用され、ウォーターディスペンサー装置の管を通じて移送され、
前記制御ユニットは、ウォーターディスペンサー装置の２つのクリーニングサイクルの駆動のための前記各弁と前記吸引ユニットとを制御するように構成され、主要なクリーニングサイクルは、ウォーターディスペンサー装置の前記管の第１の部分と前記冷水タンクとをクリーニングすることを含み、２次クリーニングサイクルは、ウォーターディスペンサー装置の前記管の第２の部分をクリーニングすることを含むウォーターディスペンサー装置。
【請求項２】
前記吸引弁は、前記第１の冷水吸引管と第２の冷水吸引管とから前記温水タンクに水が流れることを可能にする請求項１の装置。
【請求項３】
前記水出口から分配される水を制御するための出口弁をさらに具備する請求項２の装置。
【請求項４】
前記温水ユニット弁が前記吸引ユニットから前記温水タンクに水が流れることを可能にしたとき、温水がウォーターディスペンサー内で前記温水タンクから管に移送される請求項１の装置。
【請求項５】
温水出口管及び冷水出口管をさらに備え、
主要なクリーニングサイクルは、前記温水出口管及び前記冷水出口管をクリーニングすることを含み、前記制御ユニットは、前記冷水ユニット弁を閉止状態に、前記温水ユニット弁を開放状態に、及び、前記吸引弁を開放状態に設定するようにさらに構成される請求項１の装置。
【請求項６】
ウォーターディスペンサーのユーザにより前記吸引ユニットが駆動される請求項１の装置。
【請求項７】
前記制御ユニットが前記吸引ユニットを自動的に駆動させる請求項１の装置。
【請求項８】
前記給水ユニットは、ミネラルウォーター容器、または、バッグインボックス（ＢＩＢ）ユニットである請求項１に記載の装置。
【請求項９】
前記制御ユニットは、前記冷水ユニット弁、前記温水ユニット弁、及び、前記吸引ユニットに接続され、前記冷水ユニット弁及び前記温水ユニット弁を閉止状態または開放状態にするように制御する請求項１に記載の装置。
【請求項１０】
冷水出口管が、前記温水タンクから前記冷水タンクへ、または、前記冷水タンクから出口弁へ水を分配するためのものである請求項５に記載の装置。
【請求項１１】
温水入口管は、前記冷水タンクから前記温水タンクへ水を分配するために前記第１の冷水吸引管に接続されている請求項５に記載の装置。
【請求項１２】
前記制御ユニットは、
前記第１の冷水吸引管を通じて水を前記冷水タンクから前記温水タンクへ流すように、前記吸引ユニットを駆動することによって、前記主要なクリーニングサイクルを駆動し、ここで、前記冷水ユニット弁は閉止状態であり、前記温水ユニット弁は開放状態であり、
前記冷水タンクから前記冷水吸引管へ、そして、前記吸引弁及び前記冷水ユニット弁を通して前記第２の冷水吸引管に水を流すように、前記吸引ユニットを駆動することによって、前記２次クリーニングサイクルを駆動するようにさらに構成され、
ここで、前記供給弁及び水出口弁は、閉止状態である、請求項１に記載の装置。
【請求項１３】
前記制御ユニットは、前記主要なクリーニングサイクルの間に前記冷水タンク、温水出口管、冷水出口管、及び、前記第１の冷水吸引管をクリーニングすることを可能にし、前記２次クリーニングサイクルの間に前記第２の冷水吸引管をクリーニングすることを可能にするようにさらに構成された請求項１２に記載の装置。
【請求項１４】
前記主要なクリーニングサイクルは、前記温水タンクを前記吸引ユニットに接続する温水入口管をクリーニングすることを含む請求項１３に記載の装置。
【手続補正２】
【補正対象書類名】明細書
【補正対象項目名】００２６
【補正方法】変更
【補正の内容】
【００２６】
いくつかの例示的な場合には、ウォーターディスペンサー装置１０５は、さらに、冷水ユニット１３０を吸引ユニット１４０に接続する第１の冷水吸引管１５０を有する。ウォーターディスペンサー装置１０５の管をクリーニングするとき、吸引ユニット１４０は、冷水タンク１３５から冷水吸引管１５０を介して水を吸引することができる。吸引ユニットは、冷水ユニット弁１４２及び温水ユニット弁１４５の近くに配置されている。冷水タンク１３５から水を吸引するとき、冷水タンク１３５からの水量が減少し、一方、水が冷水吸引管１５０から移送される。いくつかの例示的な場合には、冷水タンク１３５は、１．５〜２リットルの範囲の水を収容している。冷却ユニット１３７は、冷水タンク１３５の水温を調整する。ウォーターディスペンサー装置の管及びタンクをクリーニングするとき、吸引ユニット１４０によって冷水タンク１３５から吸引された水の流量は、例えば、毎分０．００１〜３リットルの範囲の中にあることができる。
【手続補正３】
【補正対象書類名】明細書
【補正対象項目名】００２７
【補正方法】変更
【補正の内容】
【００２７】
いくつかの例示的な場合には、吸引ユニット１４０は、給水ユニット１１５から冷水タンク１３５に、及び温水タンク１２５に水を揚送するように構成されている。このように、給水ユニット１１５からの水は重力を利用して流れることができない。吸引ユニット１４０は、第１の冷水吸引管１５０などの吸引管の出口に接続されることができる。いくつかの例示的な場合には、吸引管もまた温水タンク１２５に接続されることができる。吸引管は、第１の端部で吸引ユニット１４０に、第２の端部で冷水タンク１３５及び温水タンク１２５から選択された水タンクに接続されることができる。
【手続補正４】
【補正対象書類名】明細書
【補正対象項目名】００２８
【補正方法】変更
【補正の内容】
【００２８】
従って、本主題のクリーニングプロセスを行うとき、吸引ユニット１４０は吸引管から水を揚送することができる。単一のポンプと、吸引ユニット１４０とが図示され、これらの両方が、衛生プロセスを開始し、給水ユニット１１５から冷水タンク１３５に、及び温水タンク１２５に水を送る。単一のポンプの実施の形態は、吸引ユニット１４０の近傍に第１の冷水吸引管１５０の出口を配置することによって達成される。クリーニングプロセスと水の送出との両方を行う単一のポンプは、住宅用の、コンパクトなディスペンサー装置に特に必要である。このようなコンパクトな装置は、高さ６０センチメートル未満であり、キッチンの上面で配置されるように構成されることができる。
【手続補正５】
【補正対象書類名】明細書
【補正対象項目名】００２９
【補正方法】変更
【補正の内容】
【００２９】
図２は、本開示の主題の例示的な実施の形態による、クリーニングプロセスの間のウォーターディスペンサー装置の水の流れを示す図である。以下に示される例では、水は、まず、冷水タンク１３５から吸引される。代わりの実施の形態では、水は、第１の冷水吸引管１５０を温水ユニット１２０に接続することによって温水タンク１２５から吸引されることができる。開示される主題の例示的な実施の形態では、ウォーターディスペンサーをクリーニングすることは、２つの段階を有する。第１の段階では、水は、温水出口管１６５及び冷水出口管１５５を流れる。第２の段階では、水は、図３に示されるように、第２の冷水吸引管１５２を流れる。
【手続補正６】
【補正対象書類名】明細書
【補正対象項目名】００３１
【補正方法】変更
【補正の内容】
【００３１】
冷水ユニット１３０から吸引された水が温水ユニット１２０に入るとき、既に温水タンク１２５に収容された水の一部が、圧力軽減タンク１８０によって温水タンク１２５から圧力軽減管１６２に押されることができる。圧力軽減タンクは、第１のクリーンニング段階で管をクリーニングするために温水タンク１２５から圧力軽減管１６２に上向きに流れる水を規制する。そして、水は、圧力軽減管１６２から温水出口管１６５に流れ、出口弁１４８によって冷水出口管１５５に、及び冷水出口管１５５から冷水吸引管１５０に流れる。第１の冷水吸引管１５０から、水は、温水入口管１６８によって温水ユニット１２０に戻るよう流れる。そして、水は、温水タンク１２５によって温水入口管１６８から圧力軽減管１６２に流れる。このように、水は、温水タンク１２５から冷水ユニット及び温水ユニットの管を流れ、ウォーターディスペンサー装置１０５の管をクリーニングする。
【手続補正７】
【補正対象書類名】明細書
【補正対象項目名】００３３
【補正方法】変更
【補正の内容】
【００３３】
ウォーターディスペンサー装置中で水を循環させる前に、冷水タンク１３５の水を冷却するコンデンサーが無効にされる。そして、温水タンク１３５からの水が水容器装置のポンプで循環し、冷水タンク１３５からの水が温水タンク１２５へと循環される。冷水タンク１３５と温水タンク１２５との両方の水が、所定の温度、例えば摂氏８７度に達するまで、このような循環が１〜１０分間行われる。そして、水は、他の時間、例えば４分間、高速で循環される。約１〜１０分の循環時間の後、温水が、ウォーターディスペンサー装置の管を流れて、冷水ユニット１２０がクリーンにされる。冷水タンク１３５と、温水タンク１２５と、いくつかの管とが、所定の循環時間の後にクリーンにされる。いくつかの場合には、ウォーターディスペンサー装置の少なくとも１つの管もまたクリーンにされる。このような管は、温水入口管１６８、冷水出口管１５５、第１の冷水吸引管１５０、圧力軽減管１６２及び温水出口管１６５であることができる。
【手続補正８】
【補正対象書類名】明細書
【補正対象項目名】００３５
【補正方法】変更
【補正の内容】
【００３５】
上に開示される例では、２次サイクルは、第２の冷水吸引管１５２をクリーニングすることに言及する。第２の冷水吸引管１５２をクリーニングするために、冷水ユニット弁１４２は開放状態にあり、温水ユニット弁１４５は閉止状態にあり、供給弁１８２は閉止状態にある。
【手続補正９】
【補正対象書類名】明細書
【補正対象項目名】００３６
【補正方法】変更
【補正の内容】
【００３６】
吸引弁１６０は開放状態にあり、水が吸引ユニット１４０に流れることを可能にする。第２の冷水吸引管１５２をクリーニングするとき、出口弁１４８が閉じられたままである。第２の冷水吸引管１５２をクリーニングするとき、水は、冷水ユニット弁１４２によって吸引ユニット１４０から第２の冷水吸引管１５２に流れる。
【手続補正１０】
【補正対象書類名】明細書
【補正対象項目名】００３７
【補正方法】変更
【補正の内容】
【００３７】
第２の冷水吸引管１５２をクリーニングすることと残りの管をクリーニングすることとの切り換えは、制御ユニット１７７によって決定される。制御ユニット１７７は、弁及び吸引ユニット１４０に接続されている。制御ユニット１７７は、どの弁が閉止状態にあるか、また、どの弁が開放状態にあるかを決定する。制御ユニットは、冷水吸引ユニット１３０をクリーニングするために割り当てられる時間、及び第２の冷水吸引管１５２をクリーニングするために必要な時間を決定することができる。
【手続補正１１】
【補正対象書類名】明細書
【補正対象項目名】００３８
【補正方法】変更
【補正の内容】
【００３８】
いくつかの例示的な場合には、ウォーターディスペンサー装置１０５に追加された冷水吸引管１５０は、上の例示的な実施の形態に開示されるような冷水ユニット１３０にではなく、温水ユニット１２０に接続されている。第１の冷水吸引管１５０は、取り外し可能であることができる。いくつかの場合には、ウォーターディスペンサー装置１０５は、ウォーターディスペンサー装置１０５の必須部分としてではなく付加部分として吸引管の接続を可能にするために、温水ユニット１２０及び冷水ユニット１３０の両方にコネクタを有することができる。
【手続補正１２】
【補正対象書類名】明細書
【補正対象項目名】００３９
【補正方法】変更
【補正の内容】
【００３９】
流体フローシステム２０６及び流体コネクタ２２０をクリーニングするための構成体の温／冷ウォーターディスペンサー２００を概略的に示す図４が参照される。温／冷ウォーターディスペンサー２００は、図４並びに図５に概略的に示され、この分野で周知であるようにして、給水システム２５０によってユーザに温水／冷水を供給する。給水システム２５０は、とりわけ、この分野で周知であるようにして、ウォーターヒーター２６１によって９０℃よりも高い温度に維持される温水２１５を収容するための温水リザーバー２１４と、ウォータークーラー２６２によって約４〜１５℃の温度に維持される冷水２１７を収容する冷水リザーバー２１６を有する。選択的に、ミネラルウォーター容器２１０内に収容されたミネラルウォーター２１２は、温水弁２３８及び温水導管２３７によって温水リザーバー２１４に供給され、冷水弁２４４及び冷水導管２４２によって冷水リザーバー２１６に供給される。ユーザは、この分野で周知であるようにして、温水／冷水蛇口（図示されない）を駆動させることによってディスペンサー２００を動作させ、これにより、ホット／コールドディスペンサー２００から温水２１５及び冷水２１７を選択的に得る。
【手続補正１３】
【補正対象書類名】明細書
【補正対象項目名】００４０
【補正方法】変更
【補正の内容】
【００４０】
温／冷ウォーターディスペンサー２００は、さらに、とりわけ、ミネラルウォーター２１２を収容しているバッグインボックスストレージ（ＢＩＢ）２１０のようなミネラルウォーター容器２１０を囲んでいるハウジング２０８を有する。
【手続補正１４】
【補正対象書類名】明細書
【補正対象項目名】００４１
【補正方法】変更
【補正の内容】
【００４１】
流体フローシステム２０６は、とりわけ、流体導管２１１と、流体コネクタ２２０とを有する。流体導管２１１は、流体コネクタ２２０を衛生弁２１３に流体結合する。ＢＩＢ２１０は、ウォーターディスペンサー２００のユーザによって流体コネクタ２２０に機械的に流体結合される。代表的には、ユーザは、流体コネクタ２２０にＢＩＢ２１０の出口を手動で連結させる。ＢＩＢ２１０は、流体コネクタ２２０によって流体フローシステム２０６と流体連通する。
【手続補正１５】
【補正対象書類名】明細書
【補正対象項目名】００４５
【補正方法】変更
【補正の内容】
【００４５】
本発明の他の実施の形態によれば、温／冷ウォーターディスペンサー２００は、図４に示されるように、結合部２４７に流体結合された排水システム２４６を有する。排水システム２４６は、とりわけ、排出ポンプ及び／又はドレイン弁２４８と、ドレイン流体導管２５３と、水ドレイン２８０とを有する。流体排出システム２４６は、クリーニング動作に続いてディスペンサー２００に残った残余水２７０（図５）を排出するために、代表的に、排出システムを提供する。ドレイン弁の開閉は、通信バス２５６によって制御ユニット２２６によって制御される。
【手続補正１６】
【補正対象書類名】明細書
【補正対象項目名】００４８
【補正方法】変更
【補正の内容】
【００４８】
制御ユニット２２６は、温／冷ウォーターディスペンサーに挿入された替えのＢＩＢユニットの数をモニターし記録し、所定の数の、代表的には１０のＢＩＢユニットの交換の後、制御ユニット２２６は、そのときの空のＢＩＢユニット２１０及び流体導管２１１のクリーニング動作を開始する。ユーザは、制御パネル２５２によって制御ユニット２２６に必要な情報を入力することによって、交換のＢＩＢユニットの数を変更することができることが理解される。
【手続補正１７】
【補正対象書類名】明細書
【補正対象項目名】００５１
【補正方法】変更
【補正の内容】
【００５１】
温水の温度が必要な温度未満であれば、温水リザーバー２１４の水を必要な温度に加熱する加熱動作を始めるために、制御ユニット２２６は、温水器２６１に水の加熱の指示を伝達する。そして、「水を加熱中です」などの通知がディスプレイ２２８に表れる。必要な温水の温度に達すると、「水が必要な温度に加熱されました」などの通知がディスプレイ２２８に表れる。
【手続補正１８】
【補正対象書類名】明細書
【補正対象項目名】００５３
【補正方法】変更
【補正の内容】
【００５３】
揚送方向を転じるように流体ポンプ２１８に命じることに付随して、制御ユニット２２６は、冷水弁２４４を閉じるように、及び温水弁２３８及び衛生弁２１３を開くように命令する。冷水弁２４４が閉じ、温水弁２３８及び衛生弁２１３が開いた確認を受けると、制御ユニット２２６は、温水リザーバー２１４から流体フローシステム２０６及びＢＩＢ２１０に温水を揚送し始めるように流体ポンプ２１８に命令する。流体フローシステム２０６をクリーニングするとき、温水タンクから揚送される温水は５〜５０ｍｌの範囲にあることができる。そして、「クリーニング動作中」などの通知がディスプレイ２２８に表れる。
【手続補正１９】
【補正対象書類名】明細書
【補正対象項目名】００５４
【補正方法】変更
【補正の内容】
【００５４】
流体ポンプ２１８は、流れの矢印２６０によって示されるように、流体フローシステム２０６によって温水リザーバー２１４からＢＩＢ２１０に温水を揚送し始める。温水２３１は、流体コネクタ２２０に達して、スプレー矢印２６３によって示されるようなＢＩＢ２１０中に吹き付けられる。従って、フロー導管２１１が温水でクリーンにされる。揚送する動作は、第１の所定時間、代表的には３秒間継続する。
【手続補正２０】
【補正対象書類名】明細書
【補正対象項目名】００５８
【補正方法】変更
【補正の内容】
【００５８】
本発明の他の実施の形態によれば、揚送方向の指示の変更を伝達するのに付随して、制御ユニット２２６が温水弁２３８を閉じるように命令し、排出ポンプ及び／又はドレイン弁２４８を開くように命令する。冷水弁２４４は、閉じられたままであり、衛生弁２１３は、開いたままである。従って、流体フロー経路は、流れの矢印２７４によって示されるように、流体導管２１１及び流体コネクタ２２０によってＢＩＢ２１０から排水システム２４６まで確立される。
【手続補正２１】
【補正対象書類名】明細書
【補正対象項目名】００５９
【補正方法】変更
【補正の内容】
【００５９】
温水弁２３８が閉まっており、排出ポンプ及び／又はドレイン弁２４８が開いているという確認を受けると、制御ユニット２２６が、１〜１０秒間、流体ポンプ２１８に揚送し始めるよう命令し、残りの水２７０が、流体の流れの矢印２７４によって示されるように、ＢＩＢ２１０、流体コネクタ２２０及び流体導管２０６から排水システム２４６に揚送される。
【手続補正２２】
【補正対象書類名】明細書
【補正対象項目名】００６０
【補正方法】変更
【補正の内容】
【００６０】
従って、残りの温水２７０が、ＢＩＢ２１０及び流体フローシステム２０６から排出フローシステム２４６によって水ドレイン２８０に配置されるか、温水リザーバー２１４に戻される。
【手続補正２３】
【補正対象書類名】明細書
【補正対象項目名】００６５
【補正方法】変更
【補正の内容】
【００６５】
本開示は、代表的な実施の形態を参照して説明されてきたが、さまざまな変更が行なわれてもよいことがこの分野の当業者によって理解され、また、均等物が、本発明の範囲を逸脱することなく、その要素に代わって用いられることができる。さらに、多くの変更が、その本質的な範囲を逸脱することなく、特定の状態又は材料を適応させるためになされることができる。従って、開示される主題は、本発明を実行するための最良の形態を考慮して開示された特定の実施の形態に限定されるものではなく、以下の特許請求の範囲によって規定されることが意図されている。
以下に、出願当初の特許請求の範囲に記載された発明を付記する。
［１］
ウォーターディスペンサー装置であって、
ウォーターディスペンサー装置のユーザに分配される水を収容するための水容器と、
前記水容器から水を受けるための冷水タンクと、
前記水容器から水を受けるための温水タンクと、
前記冷水タンク及び前記温水タンクに向かって前記水容器から水を揚送するための吸引ユニットと、
前記温水タンクに、及び前記冷水タンクに接続され、ウォーターディスペンサー装置から水を分配するための水出口と、
第１の端部で前記吸引ユニットに接続され、第２の端部で前記冷水タンク及び前記温水タンクから選択された水タンクに接続された吸引管とを具備し、
前記吸引ユニットは、前記吸引管から水を吸引するように構成され、
前記吸引ユニットによって前記吸引管から吸引された水は、ウォーターディスペンサー装置の管及びタンクをクリーニングするために使用され、ウォーターディスペンサー装置内の管から移送されるウォーターディスペンサー装置。
［２］
前記吸引管から前記温水タンクに水が流れることを可能にする吸引弁をさらに具備する［１］の装置。
［３］
前記水出口から分配される水を制御するための出口弁をさらに具備する［２］の装置。
［４］
前記吸引ユニットから前記温水タンクへの水の流れを制御するための温水ユニット弁をさらに具備する［３］の装置。
［５］
前記温水ユニット弁が前記吸引ユニットから前記温水タンクに水が流れることを可能にしたとき、温水がウォーターディスペンサー内で前記温水タンクから管に移送される［４］の装置。
［６］
冷水吸引管への水の流れを制御するための冷水ユニット弁をさらに具備する［４］の装置。
［７］
ウォーターディスペンサー装置の前記管をクリーニングすることは、温水出口管及び冷水出口管をクリーニングすることを含む［６］の装置。
［８］
前記冷水ユニット弁が閉止状態にあり、前記温水ユニット弁が開放状態にあり、前記吸引弁が開放状態にあるとき、前記温水出口管及び前記冷水出口管のクリーニングが行われる［７］の装置。
［９］
前記冷水ユニット弁が開放状態にあり、前記温水ユニット弁が閉止状態にあり、前記吸引弁が開放状態にあるとき、前記冷水吸引管のクリーニングが行われる［６］の装置。
［１０］
ウォーターディスペンサーのユーザが前記吸引ユニットを駆動させる［１］の装置。
［１１］
制御ユニットが前記吸引ユニットを自動的に駆動させる［１］の装置。
［１２］
温／冷ウォーターディスペンサーであって、
水を収容している水容器を囲んでいるハウジングと、
温水リザーバー及び冷水リザーバーに前記水容器に収容された水を選択的に供給するように構成され、さらに、温／冷ウォーターディスペンサーのユーザに、前記温水リザーバーから温水を、及び前記冷水リザーバーから冷水を選択的に供給するように構成された給水システムと、
流体フローシステム及び前記給水システムに流体結合し、前記流体フローシステムによって前記温水リザーバーから空の水容器に温水を揚送するように動作可能な流体ポンプとを具備し、
所定の数の前記水容器を空にした後、前記流体ポンプが、第１の所定時間の間、前記流体フローシステムによって前記空の水容器に前記温水を揚送するように駆動され、これにより、前記温水は、前記流体フローシステム及び前記空の水容器をクリーニングする温／冷ウォーターディスペンサー。
［１３］
前記流体フローシステムは、流体フロー導管と、前記流体フロー導管及び前記水容器を流体結合するための流体コネクタとを有する［１２］の温／冷ウォーターディスペンサー。
［１４］
前記流体ポンプは、可逆流体ポンプを有する［１２］の温／冷ウォーターディスペンサー。
［１５］
前記流体ポンプを逆の揚送方向に揚送させるよう構成するように動作可能な制御ユニットをさらに具備する［１２］の温／冷ウォーターディスペンサー。
［１６］
前記制御ユニットは、順揚送方向に前記流体ポンプを揚送させるよう再構成するように動作可能である［１５］の温／冷ウォーターディスペンサー。
［１７］
前記水容器は、バッグインボックス容器を有する［１２］の温／冷ウォーターディスペンサー。
［１８］
前記第１の所定時間は、１秒ないし１５秒の範囲にある［１２］の温／冷ウォーターディスペンサー。
［１９］
前記温水は、第２の所定時間の間、前記空の水容器及び前記流体フローシステムをクリーニングする［１２］の温／冷ウォーターディスペンサー。
［２０］
前記第２の所定時間は、１分ないし７分の範囲にある［１９］の温／冷ウォーターディスペンサー。
［２１］
前記制御ユニットに電気的に接続され、クリーニング動作の状態を表示するように動作可能なディスプレイをさらに具備する［１５］又は［１６］の温／冷ウォーターディスペンサー。
［２２］
前記温水の量は、５〜５０ｍｌの範囲にある［１２］の温／冷ウォーターディスペンサー。
［２３］
温／冷ウォーターディスペンサーをクリーニングするための方法であって、
前記温／冷ウォーターディスペンサーを用意することを具備し、前記温／冷ウォーターディスペンサーは、水容器を囲むハウジングと、温水リザーバー及び冷水リザーバーにミネラルウォーター容器に収容された水を選択的に供給するように構成され、温／冷ウォーターディスペンサーのユーザに前記温水リザーバーから温水を、及び前記冷水リザーバーから冷水を選択的に供給するように構成された給水システムとを有し、
第１の所定時間の間、流体フローシステムによって前記温水リザーバーから空の水容器に温水を揚送する流体ポンプを構成することと、
第２の所定時間の間、前記温水で前記ミネラルウォーター容器及び前記流体フローシステムをクリーニングすることとを具備する方法。
［２４］
前記流体ポンプは、可逆流体ポンプを有する［２３］の温／冷ウォーターディスペンサーをクリーニングするための方法。
［２５］
前記流体ポンプを配置することは、前記ポンプの揚送方向を逆方向に変更することを含む［２３］の温／冷ウォーターディスペンサーをクリーニングするための方法。
［２６］
順揚送方向に前記流体ポンプを揚送させるように再構成することをさらに具備する［２５］の温／冷ウォーターディスペンサーをクリーニングするための方法。
［２７］
前記ミネラルウォーター容器は、使い捨てのストレージバッグインボックス容器を有する［２３］の温／冷ウォーターディスペンサーをクリーニングするための方法。
［２８］
前記流体ポンプは、可逆流体ポンプを有する［２３］の温／冷ウォーターディスペンサーをクリーニングするための方法。
［２９］
前記第１の所定時間は、１秒ないし１５秒の範囲にある［２３］の方法。
［３０］
前記第２の所定時間は、１分ないし７分の範囲にある［２３］に記載の方法。
【手続補正２４】
【補正対象書類名】図面
【補正対象項目名】図１
【補正方法】変更
【補正の内容】
【図１】
2015503493.tif 000001
【手続補正２５】
【補正対象書類名】図面
【補正対象項目名】図２
【補正方法】変更
【補正の内容】
【図２】
2015503493.tif 000002
【手続補正２６】
【補正対象書類名】図面
【補正対象項目名】図３
【補正方法】変更
【補正の内容】
【図３】
2015503493.tif 000003
【手続補正２７】
【補正対象書類名】図面
【補正対象項目名】図４
【補正方法】変更
【補正の内容】
【図４】
2015503493.tif 000004
【手続補正２８】
【補正対象書類名】図面
【補正対象項目名】図５
【補正方法】変更
【補正の内容】
【図５】
2015503493.tif 000005